(57)【要約】【課題】店舗などの各種施設内等における照明の省エネルギー化を実現する。【解決手段】基板部４の長手方向に沿って、ＬＥＤ５３が複数配置された（ＬＥＤアレイ部（照明部）５６）と隣り合って、人感センサー６２が配置され、人感センサー６２により人を感知した際に、第一制御手段８４によりＬＥＤ５３（ＬＥＤアレイ部（照明部）５６）を点灯させ、人を感知しなくなってカウンター８３による時間計測により所定の時間（時間ｔ１）経過すると、第二制御手段８５により電流検出抵抗８９を切り替えてＬＥＤ５３（ＬＥＤアレイ部（照明部）５６）の点灯の明るさを抑えた状態にし、さらに人を感知しなくなって所定の時間（時間ｔ２）経過すると、第一制御手段８４によりＬＥＤ５３（ＬＥＤアレイ部（照明部）５６）を消灯する、ＬＥＤ照明装置１を提供する。【選択図】図１
2012133966.tif 000002
【特許請求の範囲】
【請求項１】
直線状に伸び、直線状に伸びる方向を横断する断面方向では、断面円弧状の形状で形成された半透明樹脂カバーと、
前記半透明樹脂カバーと連結される、直線状に伸び、直線状に伸びる方向を横断する断面方向では、断面円弧状の形状で形成されたアルミシャーシと、
前記半透明樹脂カバーと前記アルミシャーシとが連結されることで形成された円筒状部材には、前記円筒状部材の長手方向に沿って、基板部が組み込まれており、
前記基板部は、
前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させるＬＥＤ基板と、
前記電源基板と導通が図られ、該ＬＥＤ基板に隣接し、前記半透明樹脂カバー側と対向する、一方の面部側に、人感センサーが配置され、該人感センサーのセンサーカバーが前記半透明樹脂カバー側に向き、前記アルミシャーシと対向する、他方の面部側に、前記人感センサーを制御するとともに、前記電源基板と導通が図られたセンサー基板と、を備え、
該センサー基板の、前記円筒状部材の長手方向に沿う、前記ＬＥＤ基板側の端部には、前記センサー基板より前記半透明樹脂カバー側に向かって伸びた遮光板が取り付けられ、
前記円筒状部材の長手方向に沿う両端部側に取り付けられた、前記電源基板との導通したエンドキャップと、
該エンドキャップには、ソケットに差し込む、前記電源基板との導通が図られたソケット端子と、を備えたことを特徴とするＬＥＤ照明装置。
【請求項２】
直線状に伸び、直線状に伸びる方向を横断する断面方向では、断面円弧状の形状で形成された半透明樹脂カバーと、
前記半透明樹脂カバーと連結される、直線状に伸び、直線状に伸びる方向を横断する断面方向では、断面円弧状の形状で形成されたアルミシャーシと、
前記半透明樹脂カバーと前記アルミシャーシとが連結されることで形成された円筒状部材には、前記円筒状部材の長手方向に沿って、基板部が組み込まれており、
前記基板部は、
前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させる第一ＬＥＤ基板と、
前記電源基板と導通が図られ、前記第一ＬＥＤ基板に隣接し、前記半透明樹脂カバー側と対向する、一方の面部側に、人感センサーが配置され、該人感センサーのセンサーカバーが前記半透明樹脂カバー側に向き、前記アルミシャーシと対向する、他方の面部側に、前記人感センサーを制御するとともに、前記電源基板と導通が図られたセンサー基板と、
前記電源基板と導通が図られ、前記センサー基板に隣接し、前記半透明樹脂カバーと対向する、一方の面部側には複数のＬＥＤを配置し、複数の前記ＬＥＤを点灯及び消灯させる第二ＬＥＤ基板と、を備え、
前記センサー基板の、前記円筒状部材の長手方向に沿う、前記第一ＬＥＤ基板側及び前記第二ＬＥＤ基板側の端部には、前記センサー基板より前記半透明樹脂カバー側に向かって伸びた遮光板が取り付けられ、
前記円筒状部材の長手方向に沿う両端部側に取り付けられた、前記電源基板と導通したエンドキャップと、
該エンドキャップには、ソケットに差し込む、前記電源基板との導通が図られたソケット端子と、を備えたことを特徴とするＬＥＤ照明装置。
【請求項３】
前記半透明樹脂カバーと前記アルミシャーシとの連結は、前記半透明樹脂カバーの長手方向に沿って、前記半透明樹脂カバーの長手方向を横断する断面方向の前記断面円弧状の形状の両端部側から互いに対向して、前記半透明樹脂カバーの断面円弧状の形状内に突出して伸びる凸部が、前記アルミシャーシの、前記アルミシャーシの長手方向に沿って、前記アルミシャーシの長手方向を横断する断面方向の前記断面円弧状の形状の両端部側から互いに対向して、前記アルミシャーシの断面円弧状の形状の両端部側から連続して開口が断面円弧の外側に向く凹部との係合によりなり、前記半透明樹脂カバーと前記アルミシャーシとを連結することで、前記アルミシャーシの前記凹部に連続して、前記アルミシャーシの長手方向に沿って、前記アルミシャーシの長手方向を横断する断面方向の前記断面円弧状の形状の両端部側から互いに、開口が向き合う溝部が前記円筒状部材内に形成されることを特徴とする請求項１又は２に記載のＬＥＤ照明装置。
【請求項４】
前記半透明樹脂カバーと、前記基板部が組み込まれた前記アルミシャーシとの連結が行われ前記円筒状部材が形成されると、前記円筒状部材内の基盤部における前記センサーカバーが対向する前記半透明樹脂カバーでは、前記センサーカバーが対向する位置に開口部が形成され、前記開口部より前記センサーカバーの一部が突出することを特徴とする請求項１乃至３のいずれかに記載のＬＥＤ照明装置。
【請求項５】
前記センサー基板では、
前記人感センサーからの信号があれば時間を計測するカウント値を初期化し、前記人感センサーからの信号がなければ時間を計測するカウント値を積算するカウンターと、
前記人感センサーから前記カウンターへの前記信号の入力があれば、消費電力を増す電流検出抵抗と、消費電力を減らす電流検出抵抗の内、前記消費電力を増す電流検出抵抗を選択し、前記人感センサーから前記カウンターへの前記信号がなく、前記カウンターの積算した前記カウント値が第一の設定された時間に到達すると、前記消費電力を増す電流検出抵抗と、前記消費電力を減らす電流検出抵抗の内、前記消費電力を減らす電流検出抵抗を選択する第一制御手段と、
前記人感センサーから前記カウンターへの前記信号の入力があれば、前記ＬＥＤを点灯させ、前記人感センサーから前記カウンターへの前記信号がなく、前記カウンターの積算した前記カウント値が第一の設定された時間からさらに積算して第二の設定された時間に到達すると、前記ＬＥＤを消灯させる第二制御手段と、を備えることを特徴とする請求項１乃至４のいずれかに記載のＬＥＤ照明装置。
【請求項６】
カウンターに人感センサーからの信号が入力され、カウント値が初期化され、第一制御手段が、消費電力を増す電流検出抵抗と、消費電力を減らす電流検出抵抗の内、前記消費電力を増す電流検出抵抗を選択し、第二制御手段がＬＥＤを点灯させる工程と、
前記カウンターへ前記人感センサーからの前記信号の入力が止まり、前記カウンターにおいて時間を計測するカウント値の積算を行い、前記カウンターの積算した前記カウント値が第一の設定された時間に到達すると、前記第一制御手段が、選択されていた前記消費電力を増す電流検出抵抗を前記消費電力を減らす電流検出抵抗に切り替え、前記第二制御手段はＬＥＤの点灯を維持する工程と、
前記カウンターへ前記人感センサーからの前記信号の入力が止まり、前記カウンターにおいて時間を計測するカウント値の積算をさらに行い、前記カウンターの積算した前記カウント値が第一の設定された時間からさらに積算して第二の設定された時間に到達すると、前記第二制御手段はＬＥＤを消灯する工程と、からなることを特徴とするＬＥＤ照明方法。
【発明の詳細な説明】
【技術分野】
【０００１】
本発明は、複数のＬＥＤ（発光ダイオード）を配置した基板を照明カバー（半透明樹脂カバー）と筺体（アルミシャーシ）との間に挟んで組み込んだＬＥＤ照明装置及びＬＥＤ照明方法に関する。
【背景技術】
【０００２】
人体の接近により自動的に点灯する照明装置として、例えば、図１１に示す照明装置１００が従来よりある。照明装置１００では、図１１（ａ）に示すように、照明ランプ１０１は電球などからなり、カバー１０２は照明ランプ１０１を覆い、人体を検知するセンサー１０３は照明装置１００の下方の人体を検知できるように照明装置１００の中央に設けられており、筺体１０４は以上の照明ランプ１０１、カバー１０２、及び人体を検知するセンサー１０３を支持している。また、筺体１０４は、人体を検知するセンサー１０３の出力により照明ランプ１０１をオン、オフさせる、図示しない電装基板を備えている。つまり、照明装置１００は、図１１（ａ）及び図１１（ｂ）に示すように、人体を検知するセンサー１０３は筺体１０４の中心に設置されており、その周囲に照明ランプ１０１が配置されている。そして、図１１（ｃ）に示すように、照明装置の人体を検知するセンサー１０３の検知エリアが形成され、検知エリアに人体が入ると人体を検知するセンサー１０３により検知され、図示しない電装基板を通じて照明ランプ１０１が点灯し、検知エリアから人体が抜け出すと照明ランプ１０１が消灯することになる（特許文献１）。
【先行技術文献】
【特許文献】
【０００３】
【特許文献１】特開平３−２３６１０３（第２頁、第１図、第２図、第３図）
【発明の概要】
【発明が解決しようとする課題】
【０００４】
しかしながら、人体を検知するセンサー１０３を設けて、店舗などの各種施設内等における電球（電灯）の必要時以外の電球（電灯）のスイッチをオフにしても従来の電球（電灯）では、点灯時における発熱によるエネルギー消費が大きく、人体を検知するセンサー１０３による電球（電灯）のスイッチをオフにする時間を長くしても電球（電灯）の点灯時におけるエネルギー消費が大き過ぎるため、電球（電灯）のエネルギー消費に対して十分に寄与することが難しい。また、店舗などの各種施設内等における照明のエネルギー消費の削減を考えるならば、従来の電球（電灯）を昨今注目を集めているＬＥＤに置き換えて用いることも可能である。ＬＥＤは、従来の電球（電灯）に比べ低消費電力、高輝度で長寿命化が達成されているが、店舗などの各種施設内等に照明としてＬＥＤを用いても、照明の必要時以外（店舗などの各種施設内等に人がいない場合等）にＬＥＤによる照明が行われ続ければ、低消費電力のＬＥＤでもエネルギー消費が大きくなる。そして、照明によるＬＥＤのエネルギー消費を少しでも抑えるために出来るだけ、電球（電灯）の必要時以外の電球（電灯）のスイッチのオフを励行してもスイッチの消し忘れを防止することは難しい。
【０００５】
そのため、ＬＥＤの照明を、従来の電球（電灯）と同様に、人体を検知するセンサー１０３で制御することが考えられる。つまり、店舗などの各種施設内等で人体を検知するセンサー１０３が人等を検知すると店舗などの各種施設内等に設けられた人体を検知するセンサーが作動してＬＥＤを点灯させ、人体を検知するセンサー１０３が人等を検知しないとＬＥＤを消灯させるということになる。そのため、ＬＥＤと人体を検知するセンサー１０３は、図１１に示す照明装置１００と同様に、一体に形成されていることが望ましい。しかし、図１１に示す照明装置１００では、カバー１０２と筺体４とで形成される照明装置１００の外枠内に照明ランプ１０１及び人体を検知するセンサー１０３の組み込まれることになるが、照明装置１００の外枠内で照明ランプ１０１は照明装置１００の外枠内の外周側に組み込まれ、人体を検知するセンサー１０３は照明装置１００の外枠内の中央側に組み込まれというように組み込まれる場所が異なるため、照明ランプ１０１と人体を検知するセンサー１０３とはそれぞれ別々組み込まなければならない。その結果、照明ランプ１０１と人体を検知するセンサー１０３との組み込み工程が煩雑になり、装置の組み立ての作業性の向上は望み得ない。
【０００６】
本発明は、上記の事情に鑑みなされたものであり、店舗などの各種施設内等における照明において省エネ、高輝度で長寿命を実現し、装置の組み立てに際しての作業性の向上を図ることが可能なＬＥＤ照明装置及びＬＥＤ照明方法の提供を目的とする。
【課題を解決するための手段】
【０００７】
上記の目的を達成するために、請求項１に記載の発明は、直線状に伸び、直線状に伸びる方向を横断する断面方向では、断面円弧状の形状で形成された半透明樹脂カバーと、前記半透明樹脂カバーと連結される、直線状に伸び、直線状に伸びる方向を横断する断面方向では、断面円弧状の形状で形成されたアルミシャーシと、前記半透明樹脂カバーと前記アルミシャーシとが連結されることで形成された円筒状部材には、前記円筒状部材の長手方向に沿って、基板部が組み込まれており、前記基板部は、前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させるＬＥＤ基板と、前記電源基板と導通が図られ、該ＬＥＤ基板に隣接し、前記半透明樹脂カバー側と対向する、一方の面部側に、人感センサーが配置され、該人感センサーのセンサーカバーが前記半透明樹脂カバー側に向き、前記アルミシャーシと対向する、他方の面部側に、前記人感センサーを制御するとともに、前記電源基板と導通が図られたセンサー基板と、を備え、該センサー基板の、前記円筒状部材の長手方向に沿う、前記ＬＥＤ基板側の端部には、前記センサー基板より前記半透明樹脂カバー側に向かって伸びた遮光板が取り付けられ、前記円筒状部材の長手方向に沿う両端部側に取り付けられた、前記電源基板との導通したエンドキャップと、該エンドキャップには、ソケットに差し込む、前記電源基板との導通が図られたソケット端子と、を備えたことを特徴とする。
【０００８】
従って、請求項１に記載の発明によれば、半透明樹脂カバーとアルミシャーシとを連結することで円筒状部材を形成して、半透明樹脂カバーと、人感センサー及びＬＥＤを対向させて円筒状部材内に基板部である、遮光板により仕切られた、ＬＥＤ基板及びセンサー基板を組み込み、円筒状部材の長手方向に沿う両端部側にソケット端子を備えたエンドキャップを取り付け、ソケット端子をソケットに組み込むことで、ソケット端子を通じて流れるＡＣ電流がＡＣ−ＤＣコンバーターを経て電源基板の電源回路よりＤＣ電流としてＬＥＤ基板（ＬＥＤ回路）及びセンサー基板（センサー回路）に流れ、人感センサーからの信号（信号のあり、或いはなし）がセンサー基板に入力されることにより、センサー基板における制御手段（第一制御手段、第二制御手段）でＬＥＤ基板のパターンに連結された、ＬＥＤ基板に配置された、多数のＬＥＤを点灯させたり、消灯させたりすることが可能になる。
【０００９】
また、請求項２に記載の発明は、直線状に伸び、直線状に伸びる方向を横断する断面方向では、断面円弧状の形状で形成された半透明樹脂カバーと、前記半透明樹脂カバーと連結される、直線状に伸び、直線状に伸びる方向を横断する断面方向では、断面円弧状の形状で形成されたアルミシャーシと、前記半透明樹脂カバーと前記アルミシャーシとが連結されることで形成された円筒状部材には、前記円筒状部材の長手方向に沿って、基板部が組み込まれており、前記基板部は、前記半透明樹脂カバーと対向する、一方の面部側には複数のＬＥＤを配置し、前記アルミシャーシと対向する、他方の面部側には電源基板が配置され、該電源基板上に前記電源基板により制御されるＡＣ−ＤＣコンバーターを配置し、前記電源基板と導通が図られた、複数の前記ＬＥＤを点灯及び消灯させる第一ＬＥＤ基板と、前記電源基板と導通が図られ、前記第一ＬＥＤ基板に隣接し、前記半透明樹脂カバー側と対向する、一方の面部側に、人感センサーが配置され、該人感センサーのセンサーカバーが前記半透明樹脂カバー側に向き、前記アルミシャーシと対向する、他方の面部側に、前記人感センサーを制御するとともに、前記電源基板と導通が図られたセンサー基板と、前記電源基板と導通が図られ、前記センサー基板に隣接し、前記半透明樹脂カバーと対向する、一方の面部側には複数のＬＥＤを配置し、複数の前記ＬＥＤを点灯及び消灯させる第二ＬＥＤ基板と、を備え、前記センサー基板の、前記円筒状部材の長手方向に沿う、前記第一ＬＥＤ基板側及び前記第二ＬＥＤ基板側の端部には、前記センサー基板より前記半透明樹脂カバー側に向かって伸びた遮光板が取り付けられ、前記円筒状部材の長手方向に沿う両端部側に取り付けられた、前記電源基板と導通したエンドキャップと、該エンドキャップには、ソケットに差し込む、前記電源基板との導通が図られたソケット端子と、を備えたことを特徴とする。
【００１０】
従って、請求項２に記載の発明によれば、  アルミシャーシのスライドレールである溝部に、ＬＥＤ基板同士の間にセンサー基板を配置し、ＬＥＤ基板とセンサー基板とを遮光板により仕切った基板部を組み込み、半透明樹脂カバーを基板部が組み込まれたアルミシャーシに重ね合わせて、半透明樹脂カバーとアルミシャーシとを連結することで円筒状部材を形成して、円筒状部材の長手方向に沿う両端部側にソケット端子を備えたエンドキャップを取り付け、ソケット端子をソケットに組み込み、ソケット端子を通じて流れるＡＣ電流がＡＣ−ＤＣコンバーターを経て電源基板の電源回路よりＤＣ電流としてＬＥＤ基板（ＬＥＤ回路）及びセンサー基板（センサー回路）に流れ、人感センサーからの信号（信号のあり、或いはなし）がセンサー基板に入力されることにより、センサー基板における制御手段（第一制御手段、第二制御手段）でＬＥＤ基板のパターンに連結された、ＬＥＤ基板に配置された、多数のＬＥＤを点灯させたり、消灯させたりすることが可能になる。
【００１１】
さらに、請求項３に記載の発明は、請求項１又は２に記載の構成に加え、前記半透明樹脂カバーと前記アルミシャーシとの連結は、前記半透明樹脂カバーの長手方向に沿って、前記半透明樹脂カバーの長手方向を横断する断面方向の前記断面円弧状の形状の両端部側から互いに対向して、前記半透明樹脂カバーの断面円弧状の形状内に突出して伸びる凸部が、前記アルミシャーシの、前記アルミシャーシの長手方向に沿って、前記アルミシャーシの長手方向を横断する断面方向の前記断面円弧状の形状の両端部側から互いに対向して、前記アルミシャーシの断面円弧状の形状の両端部側から連続して開口が断面円弧の外側に向く凹部との係合によりなり、前記半透明樹脂カバーと前記アルミシャーシとを連結することで、前記アルミシャーシの前記凹部に連続して、前記アルミシャーシの長手方向に沿って、前記アルミシャーシの長手方向を横断する断面方向の前記断面円弧状の形状の両端部側から互いに、開口が向き合う溝部が前記円筒状部材内に形成されることを特徴とする。
【００１２】
従って、請求項３に記載の発明によれば、半透明樹脂カバーにおいて、半透明樹脂カバーの長手方向に沿って、半透明樹脂カバーの長手方向を横断する断面方向の断面半円弧状の形状の両端部側から互いに対向して、半透明樹脂カバーの断面半円弧状の形状内に突出して凸部が伸びており、その凸部が、アルミシャーシにおける、アルミシャーシの長手方向に沿って、アルミシャーシの長手方向を横断する断面方向の断面半円弧状の形状の両端部側から互いに対向して、アルミシャーシの断面半円弧状の形状の両端部側から連続して開口が断面半円弧の外側に向く凹部と係合することで半透明樹脂カバーとアルミシャーシとの連結が完成することになり円筒状部材が形成される。つまり、半透明樹脂カバーとアルミシャーシと重ね合わせることで半透明樹脂カバーの凸部とアルミシャーシの凹部と組み合わせて半透明樹脂カバーとアルミシャーシとの連結することで円筒状部材を形成することになる。
【００１３】
この場合の、半透明樹脂カバーとアルミシャーシとの連結では、半透明樹脂カバーの両端部側をアルミシャーシの両端部側に当接させて、半透明樹脂カバーの両端部側の凸部をアルミシャーシの両端部側の背壁部に乗り上げさせて、半透明樹脂カバーの両端部側の凸部でアルミシャーシの両端部側の背壁部を挟み込み、半透明樹脂カバーの凸部をアルミシャーシの背壁部上を摺動させて、半透明樹脂カバーの凸部をアルミシャーシの凹部に組み入れて、半透明樹脂カバーとアルミシャーシとを係合し、半透明樹脂カバーとアルミシャーシとの連結が行われる。そして、半透明樹脂カバーとアルミシャーシとの連結が完成し円筒状部材が形成されることで、アルミシャーシの前記凹部に連続して開口が向き合う、アルミシャーシの溝部が円筒状部材内に形成され、アルミシャーシの溝部内に組み込まれる基板部の保持を行う。
【００１４】
また、請求項４に記載の発明は、請求項１乃至３のいずれかに記載の構成に加え、前記半透明樹脂カバーと、前記基板部が組み込まれた前記アルミシャーシとの連結が行われ前記円筒状部材が形成されると、前記円筒状部材内の基盤部における前記センサーカバーが対向する前記半透明樹脂カバーでは、前記センサーカバーが対向する位置に開口部が形成され、前記開口部より前記センサーカバーの一部が突出することを特徴とする。
【００１５】
従って、請求項４に記載の発明によれば、半透明樹脂カバーと、基盤部が組み込まれたアルミシャーシとの連結が行われ円筒状部材が形成されると、円筒状部材内の基盤部内に形成された人感センサーを被うセンサーカバーが対向する半透明樹脂カバーの、センサーカバーが対向する位置に形成された開口部からセンサーカバーの一部が突出するため、人から放射される赤外線を半透明樹脂カバーを介すことなく直接人感センサーで検知することが可能になる。
【００１６】
また、請求項５に記載の発明は、請求項１乃至４のいずれかに記載の構成に加え、前記センサー基板では、前記人感センサーからの信号があれば時間を計測するカウント値を初期化し、前記人感センサーからの信号がなければ時間を計測するカウント値を積算するカウンターと、前記人感センサーから前記カウンターへの前記信号の入力があれば、消費電力を増す電流検出抵抗と、消費電力を減らす電流検出抵抗の内、前記消費電力を増す電流検出抵抗を選択し、前記人感センサーから前記カウンターへの前記信号がなく、前記カウンターの積算した前記カウント値が第一の設定された時間に到達すると、前記消費電力を増す電流検出抵抗と、前記消費電力を減らす電流検出抵抗の内、前記消費電力を減らす電流検出抵抗を選択する第一制御手段と、前記人感センサーから前記カウンターへの前記信号の入力があれば、前記ＬＥＤを点灯させ、前記人感センサーから前記カウンターへの前記信号がなく、前記カウンターの積算した前記カウント値が第一の設定された時間からさらに積算して第二の設定された時間に到達すると、前記ＬＥＤを消灯させる第二制御手段と、を備えることを特徴とする。
【００１７】
従って、請求項５に記載の発明によれば、センサー基板には、カウンター、第一制御手段（論理回路（１））、及び第二制御手段（論理回路（２））が形成されており、カウンターでは、室内の人等を、人から放射される赤外線を人感センサーで検知することで、人感センサーからセンサー基板（カウンター）へ信号を出力し、カウンターが信号を受信することで時間を計測するカウント値を初期化し、室内の人等を、人から放射される赤外線を人感センサーで検知しなければ、人感センサーからセンサー基板（カウンター）へ信号を出力することなく、カウンターはカウント値を積算して時間を計測することになり、また、第一制御手段（論理回路（１））では、人感センサーからカウンターへの信号の入力があれば（人から放射される赤外線を人感センサーが検知すると）、消費電力を増す電流検出抵抗と、消費電力を減らす電流検出抵抗の内、消費電力を増す電流検出抵抗を選択することになり室内を明るく照し、人感センサーからカウンターへの信号がなく（人から放射される赤外線を人感センサーが検知検出せずに）、カウンターの積算したカウント値が第一の設定された時間に到達すると、消費電力を増す電流検出抵抗と、消費電力を減らす電流検出抵抗の内、消費電力を減らす電流検出抵抗を選択することになり室内を明るさを抑えて照らすことを可能にし、さらに、第二制御手段（論理回路（２））では、人感センサーからカウンターへの信号の入力があれば（人から放射される赤外線を人感センサーが検知すると）、ＬＥＤを点灯させ、人感センサーからカウンターへの信号がなく（人から放射される赤外線を人感センサーが検知せずに）、カウンターの積算したカウント値が第一の設定された時間からさらに積算して第二の設定された時間に到達すると、ＬＥＤを消灯させることになる。
【００１８】
さらに、請求項６に記載の発明は、カウンターに人感センサーからの信号が入力され、カウント値が初期化され、第一制御手段が、消費電力を増す電流検出抵抗と、消費電力を減らす電流検出抵抗の内、前記消費電力を増す電流検出抵抗を選択し、第二制御手段がＬＥＤを点灯させる工程と、前記カウンターへ前記人感センサーからの前記信号の入力が止まり、前記カウンターにおいて時間を計測するカウント値の積算を行い、前記カウンターの積算した前記カウント値が第一の設定された時間に到達すると、前記第一制御手段が、選択されていた前記消費電力を増す電流検出抵抗を前記消費電力を減らす電流検出抵抗に切り替え、前記第二制御手段はＬＥＤの点灯を維持する工程と、前記カウンターへ前記人感センサーからの前記信号の入力が止まり、前記カウンターにおいて時間を計測するカウント値の積算をさらに行い、前記カウンターの積算した前記カウント値が第一の設定された時間からさらに積算して第二の設定された時間に到達すると、前記第二制御手段はＬＥＤを消灯する工程と、からなることを特徴とする。
【００１９】
従って、請求項６に記載の発明によれば、カウンターに人感センサーからの信号が入力され（人から放射される赤外線を人感センサーが検知すると）、カウント値が初期化され、第一制御手段が、消費電力を増す電流検出抵抗と、消費電力を減らす電流検出抵抗の内、消費電力を増す電流検出抵抗を選択し、第二制御手段がＬＥＤを点灯させ、カウンターへ人感センサーからの信号の入力が止まり（人から放射される赤外線を人感センサーが検出せずに）、カウンターにおいて時間を計測するカウント値の積算を行い、カウンターの積算したカウント値が第一の設定された時間（時間ｔ１）に到達すると、第一制御手段が、選択されていた消費電力を増す電流検出抵抗を消費電力を減らす電流検出抵抗に切り替え、第二制御手段はＬＥＤの点灯を維持し（室内を明るさを抑えて照らし）、カウンターへ人感センサーからの信号の入力が止まり（人から放射される赤外線を人感センサーが検知せずに）、カウンターにおいて時間を計測するカウント値の積算をさらに行い、カウンターの積算したカウント値が第一の設定された時間（時間ｔ１）からさらに積算して第二の設定された時間（時間ｔ２）に到達すると、前記第二制御手段はＬＥＤを消灯することになり、時間の経過とともに段階的に電流検出抵抗を切り替えることで消費電力を減らすことを可能にし省エネルギー化の実現を可能する。
【発明の効果】
【００２０】
本発明によれば、店舗などの各種施設内における照明を、人感センサーと複数のＬＥＤとを用いて行っているため、人が室内を含めた店舗などの各種施設内に入った場合に人感センサーが作動してＬＥＤ照明装置のスイッチを入れ、人が店舗などの各種施設内から出た場合に人感センサーが作動してＬＥＤ照明装置のスイッチを切っているので、人がスイッチの操作をするのとは異なり、人のいない店舗などの各種施設内で照明がついたままの状態になるとうことがなくなり無駄な照明をなくすことができる。また、照明には、従来の照明とは異なり、低消費電力のＬＥＤを用いて行っているので、従来の照明に比べエネルギー消費を少なくすることができる。
【００２１】
また、カウンター、第一制御手段（論理回路（１））、及び第二制御手段（論理回路（２））を用いて、人から放射される赤外線を人感センサーが検知すると、カウント値を初期化し、第一制御手段が、消費電力を増す電流検出抵抗を選択し、第二制御手段がＬＥＤを点灯させ、人から放射される赤外線を人感センサーが検知しなくなると、カウンターにおいて時間を計測するカウント値の積算を行い、カウンターの積算したカウント値が第一の設定された時間（時間ｔ１）に到達すると、第一制御手段が、選択されていた消費電力を増す電流検出抵抗を消費電力を減らす電流検出抵抗に切り替えて点灯の明るさを抑え、カウンターにおいて時間を計測するカウント値の積算をさらに行い、カウンターの積算したカウント値が第一の設定された時間からさらに積算して第二の設定された時間に到達すると、第二制御手段はＬＥＤを消灯することになり、消費電力を減らすことを可能にし省エネルギー化を図ることができる。
【００２２】
また、ＬＥＤ照明装置の組立に際しては、半透明樹脂カバーの両端部側をアルミシャーシの両端部側に当接させて、半透明樹脂カバーの両端部側の凸部をアルミシャーシの両端部側の背壁部に乗り上げさせて、半透明樹脂カバーの両端部側の凸部でアルミシャーシの両端部側の背壁部を挟み込んだ状態し、背壁部を摺動させて、半透明樹脂カバーの凸部がアルミシャーシの凹部に入り、半透明樹脂カバーとアルミシャーシとが係合し、半透明樹脂カバーとアルミシャーシとの連結を行うので容易でしかも確実に半透明樹脂カバーとアルミシャーシとの連結ができる。つまり、半透明樹脂カバーとアルミシャーシと重ね合わせることで半透明樹脂カバーの凸部とアルミシャーシの凹部と組み合わせて半透明樹脂カバーとアルミシャーシとの連結することで円筒状部材を形成することになる。このように円筒状部材が形成されるので、基板部の長手方向を横断する断面方向の両端部側が円筒状部材（アルミシャーシ）内の溝部で支持されることになり、組み込まれる基板部の円筒状部材内での位置を安定させることができる。
【図面の簡単な説明】
【００２３】
【図１】本発明であるＬＥＤ照明装置における、基板部の組み込み状態を示す説明図である。
【図２】図１のＡ−Ａ線に沿う断面方向から示す説明図である。（ａ）は、図１のＡ−Ａ線に沿う断面方向から示す、基板部を中心とする、人感センサーと電源ユニットと位置関係を示す説明図である。（ｂ）は、図１のＡ−Ａ線に沿う断面方向から示す、半透明樹脂カバーとアルミシャーシとの連結の状態の拡大詳細図である。
【図３】基盤部を組み込んだアルミシャーシへの半導体樹脂カバーの取り付け方を示す説明図である。
【図４】半透明樹脂カバーとアルミシャーシと重ね合わせることで半透明樹脂カバーとアルミシャーシとの連結する状態を半透明樹脂カバー及びアルミシャーシの、長手方向に沿う端部側から示す説明図である。（ａ）は、半透明樹脂カバーの両端部側の凸部でアルミシャーシの両端部側の背壁部を挟み込んで、半透明樹脂カバーの凸部がアルミシャーシの背壁部上を、矢印Ｅ方向に沿って、摺動する状態を示す説明図である。（ｂ）は、半透明樹脂カバーの凸部がアルミシャーシの凹部に入ることで係合し、半透明樹脂カバーとアルミシャーシとが連結した状態を示す説明図である。
【図５】図１に示すＬＥＤ照明装置の長手方向に沿う断面方向からの説明図である。（ａ）は、図２（ａ）に示すＢ−Ｂ線に沿う、図１に示すＬＥＤ照明装置の長手方向に沿う断面方向から示す説明図である。（ｂ）は、図２（ａ）に示すＣ−Ｃ線に沿う、図１に示すＬＥＤ照明装置の長手方向に沿う断面方向から示す説明図である。
【図６】センサー基板におけるセンサー回路の回路図である。
【図７】図６の回路図に基づくフローチャート図である。
【図８】室内の天井面の基台に図１に示すＬＥＤ照明装置が取り付けられた状態を示す説明図である。
【図９】図８に示す天井面における基台のＬＥＤ照明装置の人から放射される赤外線を検知する範囲（角度θ）を示す説明図である。
【図１０】本発明である、ＬＥＤ基板同士の間に人感センサーを配置したＬＥＤ照明装置を図５に対応して断面方向より示す説明図である。（ａ）は、ＬＥＤ基板同士の間に人感センサーを配置したＬＥＤ照明装置の、ＬＥＤアレイ部（照明部）及び人感センサー（赤外線センサー）の位置を上方から示す、ＬＥＤ照明装置の長手方向に沿う、断面方向より示す説明図である。（ｂ）は、ＬＥＤ基板同士の間に人感センサーを配置したＬＥＤ照明装置の、ＬＥＤアレイ部（照明部）及び人感センサー（赤外線センサー）の位置を側方から示す、ＬＥＤ照明装置の長手方向に沿う、断面方向より示す説明図である。
【図１１】特許文献１に示す照明装置の説明図である。（ａ）は、照明装置の、照明ランプと人体を検知するセンサとの位置関係を示す説明図である。（ｂ）は、側方方向からの照明装置の、筺体とカバーに収納された照明ランプの位置を示す説明図である。（ｃ）は、照明装置の人体を検知するセンサの検知エリアを示す説明図である。
【発明を実施するための形態】
【００２４】
以下、本発明を実施するための形態について図面を参照して説明する。
【００２５】
（例１）
ＬＥＤ照明装置１では、図１に示すように、半透明樹脂カバー２とアルミシャーシ３とが連結することで円筒状部材１１が形成されて、その円筒状部材１１内に基板部４であるＬＥＤ基板５及び人感センサー６２により作動するセンサー基板６が収納されることになる。半透明樹脂カバー２は、図１に示すように、直線状に伸び、直線状に伸びる方向を横断する断面方向では、断面円弧状の形状に形成されている。本例では、この断面円弧状が断面半円弧状に形成されている。そして、半透明樹脂カバー２の長手方向を横断する方向の、断面半円弧状の形状の（両）端部２１、２１側から互いに対向して、断面半円弧状の形状内に突出して凸部２２、２２が伸びている。凸部２２、２２は、図１に示すように、半透明樹脂カバー２の長手方向に沿う軸方向を中心に左右対称に形成されており、互いに対向して半透明樹脂カバー２の平板状の板状部分として互い対向して真っ直ぐ伸びている。
【００２６】
また、半透明樹脂カバー２と連結されるアルミシャーシ３は、図１に示すように、半透明樹脂カバー２と同様に、直線状に伸び、直線状に伸びる方向を横断する断面方向では、断面円弧状の形状に形成されている。本例では、半透明樹脂カバー２と同様に、この断面円弧状が断面半円弧状に形成されている（図１及び図２（ａ）参照）。そして、図２（ｂ）に示すように、アルミシャーシ３の長手方向を横断する方向の、断面半円弧状の形状の（両）端部３１、３１側から互いに対向して、断面半円弧状の形状の（両）端部３１、３１側から連続して開口３２、３２が断面半円弧の外側に向く凹部３３、３３が形成されている。凹部３３、３３は、図２（ａ）に示すように、アルミシャーシ３の長手方向に沿う軸方向に左右対称に形成されており、半透明樹脂カバー２の凸部２２、２２と係合することが可能になっている（図２（ｂ）参照）。つまり、半透明樹脂カバー２の長手方向の端部２１、２１側の凸部２２、２２と、アルミシャーシ３のの長手方向の端部側の凹部３３、３３とを係合させて、半透明樹脂カバー２の凸部２２、２２をアルミシャーシ３の凹部３３、３３に組み込むことで半透明樹脂カバー２とアルミシャーシ３とを連結することができる（図１参照）。
【００２７】
さらに、アルミシャーシ３では、図２（ｂ）に示すように、アルミシャーシ３の長手方向に沿って、凹部３３、３３に連続して、断面略コ字状の形状をなした、開口３４、３４が向き合う溝部３５、３５が形成されている。スライドレールとなる溝部３５、３５は、半透明樹脂カバー２とアルミシャーシ３とを連結することで円筒状部材１１を形成することで円筒状部材１１内で開口３４、３４が向き合うことで形成されることになる。そして、円筒状部材１１内の溝部３５、３５には基板部４が組み込まれることになる（図１及び図２（ａ）参照）。ＬＥＤ照明装置１の組立に際しては、図３に示すように、まず、基板部４をアルミシャーシ３に組み込む。基板部４の組み込みでは、基板部４の長手方向に沿う、基板部４の長手方向に沿う（両）端部４１、４１側をアルミシャーシ３の長手方向に沿ういずれかの端部側からアルミシャーシ３内の溝部３５、３５内を図３に示す矢印Ｄ方向に沿って、摺動させてアルミシャーシ３内にＬＥＤ基板５及びセンサー基板６である基板部４を収納する（組み込む）ことになる（図３参照）。
【００２８】
つぎに、基板部４が組み込まれたアルミシャーシ３に半透明樹脂カバー２を取り付ける。図３に示すように、アルミシャーシ３に組み込まれた基板部４を被うように、半透明樹脂カバー２を矢印Ｅ方向に沿ってアルミシャーシ３に接近させる。そして、図４に示すように、半透明樹脂カバー２の両端部２１、２１側をアルミシャーシ３の両端部３１、３１側に当接させて、半透明樹脂カバー２の両端部２１、２１側の凸部２２、２２をアルミシャーシ３の両端部３１、３１側の背壁部３６、３６に乗り上げさせる。半透明樹脂カバー２は樹脂製であるため弾力性があり、半透明樹脂カバー２の断面半円弧状の形状の両端部２１、２１側を離す方向に移動することで（半透明樹脂カバー２の両端部２１、２１が広がることで）アルミシャーシ３の両端部３１、３１側の背壁部３６、３６に乗り上げることになる。このとき、半透明樹脂カバー２の両端部２１、２１側の凸部２２、２２でアルミシャーシ３の両端部３１、３１側の背壁部３６、３６を挟み込んだ状態になる（図４（ａ）参照）。
【００２９】
挟み込んだ状態のままで、半透明樹脂カバー２の凸部２２、２２をアルミシャーシ３の背壁部３６、３６上を、矢印Ｅ方向に沿って、摺動させる。摺動することで、半透明樹脂カバー２の凸部２２、２２はアルミシャーシ３の両端部３１、３１側の開口３２、３２に到達する。半透明樹脂カバー２の凸部２２、２２がアルミシャーシ３の開口３２、３２に到達することで、半透明樹脂カバー２の、離す方向に移動していた、両端部２１、２１が、樹脂製ゆえの弾力性により接近する方向に移動する（広がっていた状態から元の両端部２１、２１の間隔に近づく状態になる）。その結果、図４（ｂ）に示すように、半透明樹脂カバー２の凸部２２、２２はアルミシャーシ３の凹部３３、３３に入り、半透明樹脂カバー２とアルミシャーシ３との連結が行われ、円筒状部材１内に基板部４を収納することになる（図１参照）。
【００３０】
基板部４は、図１及び図５に示すように、ＬＥＤ基板５及びセンサー基板６からなる。ＬＥＤ基板５の一方の面５ａ側には、図５（ａ）に示すように、ＬＥＤ基板５の長手方向に沿って、複数のＬＥＤ５３が配置されることによりなるＬＥＤアレイ部（照明部）５６が形成されている。本例ではＬＥＤ５３は３列に配置されているが、３列に限定されることなく、円筒状部材１１（ＬＥＤ照明装置１）の大きさにより、３列以上に配置したり、３列以下に配置したりすることも可能である。そして、ＬＥＤ基板５の他方の面５ｂ側には、図５（ｂ）に示すように、電源基板５５が設けられている。本例では、電源基板５５は、ＬＥＤ基板５の他方の面５ｂ側に接着剤等で接合されることで設けられている。ただし、電源基板５５をＬＥＤ基板５の他方の面５ｂ側に接合することなく、ＬＥＤ基板５の他方の面５ｂ側に電源回路５５として形成することも可能である。この電源基板（電源回路）５５のＬＥＤ基板５での役割としては、電源ユニット５４であるＡＣ−ＤＣコンバーターで交流電流から変換された直流電流をＬＥＤ基板（ＬＥＤ回路）５に印加し、ＬＥＤ５３の点灯を可能にしている。
【００３１】
そして、ＬＥＤ基板５に隣接して図５（ａ）に示すように、センサー基板６が設けられており、センサー基板６の一方の面６ａ側にはセンサーカバー６１が設けられている。センサーカバー６１は、図５（ａ）に示すように、半球状の形状をなしており、その半球状の形状の中に人感センサー（赤外線センサー）６２を収納することで構成されている。具体的には、センサー基板６の一方の面６ａ上に、センサーカバー６１が固定して配置され、センサーカバー６１内の、センサー基板６の一方の面６ａ上には、人感センサー６２が設けられて、センサー基板６のセンサー回路と導通が図られている。なお、本例では、センサーカバー６１が半球状の形状をなしているが、特に半球状の形状に限定されることなく、例えば、立方体等の形状とすることも可能である。
【００３２】
アルミシャーシ３のスライドレールとなる溝部３５、３５にセンサーカバー６１が設けられたセンサー基板６を収納し（組み込み）、半透明樹脂カバー２とアルミシャーシ３とを連結を行うと、センサーカバー６１が対向する半透明樹脂カバー２には、センサーカバー６１が対向する位置に開口部２３が形成されており、センサーカバー６１の先端が開口部２３から突出することになる（図１参照）。このように、センサーカバー６１を半透明樹脂カバー２を介すことなく、突出させることで人から放射される赤外線が半透明樹脂カバー２によって遮断されることを防いで人感センサー（赤外線センサー）６２に到達することを可能にしている（図２（ａ）参照）。さらに、センサー基板６の他方の面６ｂ側には、図５（ｂ）に示すように、センサー回路が形成されている。センサー回路（センサー基板６）では、人から放射される赤外線により人感センサー（赤外線センサー）６２が人等を検知したか否かにより、人感センサー６２からセンサー回路へ信号が出力されたり、されなかったりすることでＬＥＤ５３の照度の制御を行っている。
【００３３】
センサー回路（センサー基板６）は、図６に示す構成をなしており、人感センサー６２からの信号がアンプ８１を介してリセット信号（Ｒｓｔ）としてカウンター８３、論理回路（２）８５（第二制御手段）及び論理回路（１）８４（第一制御手段）へ入力されることになる。そして、時間計測のために発振器８２からの信号をカウンター８３が受けて、時間ｔ１経過後にカウンター８３より信号（クロック信号）を論理回路（１）８４（第一制御手段）へ入力し、時間ｔ２経過後にカウンター８３より信号（クロック信号）を論理回路（２）８５（第二制御手段）へ入力することになる。そして、論理回路（２）８５（第二制御手段）から出力される制御信号（Ｃｎｔ）はスイッチ８ａを制御することになる。スイッチ８ａを制御することで、ＬＥＤ電源８６とＬＥＤ５３をつなぐ回路を閉じたり、開いたりすることになる。また、論理回路（１）８４（第一制御手段）から出力される制御信号（Ｃｎｔ）はスイッチ８ｂを制御することになる。スイッチ８ｂの制御では、２０Ｗ用の電流検出抵抗Ｒａ８９２と６Ｗ用の電流検出抵抗Ｒｂ８９１との切り換えを行うことになる。制御信号（Ｃｎｔ）により、２０Ｗ用の電流検出抵抗Ｒａ８９２か６Ｗ用の電流検出抵抗Ｒｂ８９１かのいずれかが選択されることにより、２０Ｗ用の電流検出抵抗Ｒａ８９２、或いは６Ｗ用の電流検出抵抗Ｒｂ８９１に応じた電圧がエラーアンプ８８に入力され、エラーアンプ８８からは基準電圧に基づいた出力信号が電気制御回路８７に入力されて、ＬＥＤ電源８６によりＬＥＤ５３が点灯することになる。
【００３４】
また、基板部４では、半透明樹脂カバー２と対向して、以上のようにセンサーカバー６１とＬＥＤアレイ部（照明部）５６とが配置されており、ＬＥＤアレイ部（照明部）５６からの直接の照明が人感センサー６２側に入るのを遮るために（人感センサー６２の誤動作を防止するため）、センサーカバー６１とＬＥＤアレイ部（照明部）５６との間に遮光板７が配置されている。遮光板７はセンサーカバー６１とＬＥＤアレイ部（照明部）５６とを遮断する板状の部材であれば材質は特に限定されないが、本例においては、合成樹脂製の板状の部材を用いている。本例においては、遮光板７は、図５（ｂ）に示すように、センサー基板６（センサー基板６の、円筒状部材１１の長手方向に沿う、ＬＥＤ基板５側の端部）に垂直に当接し、センサー基板６に接着されて、センサー基板６に対して垂直に配置されている。そして、遮光板７の、センサー基板６に当接した端部と反対側の端部である半透明樹脂カバー２に対向する端部は、半透明樹脂カバー２に接触して、半透明樹脂カバー２の内側の形状（円弧状の形状）に形成されている。
【００３５】
円筒状部材１１の長手方向に沿う両端部側には、図示しないエンドキャップが取り付けられており、そのエンドキャップには、ソケットに差し込む、電源基板５５との導通が図られた、図示しないソケット端子が設けられている。電源基板５５からは、電源基板５５のパターンに連結された、図示しないリード線が伸びてエンドキャップ内に組み込まれてソケット端子と導通が図られている。図示しないエンドキャップは、略円筒状の形状をなしており、基板部４が組み込まれた側と反対側には、ソケット端子３１、３１が間隔をあけて二本突出して設けられて、ソケットに組込可能になっている。
【００３６】
つぎに、本例のＬＥＤ照明装置１を室内で用いた例を図７乃至図９を中心に説明する。
【００３７】
図８では、室内の天井面Ｆに基台２００が取り付けられており、その基台２００にＬＥＤ照明装置１を二つ並べて組み込んである。基台２００のＬＥＤ照明装置１が取り付けられる部分は、ＬＥＤ照明装置２００ができるだけ室内全体を照らせるように傾斜している。図７に示すように、基台２００のＬＥＤ照明装置１、１が取り付けられる部分である傾斜面２０１、２０１は天井面Ｆに対してそれぞれ鋭角をなしており、傾斜面２０１、２０１の長手方向に各ＬＥＤ照明装置１、１（円筒状部材１１、１１）の長手方向が対応して傾斜面２０１、２０１にＬＥＤ照明装置１、１が取り付けられている。図８では、ＬＥＤ照明装置１の長手方向に沿う端部側の基台２００のソケット部２０２、２０２にＬＥＤ照明装置１の、図示しないエンドキャップのソケット端子が差し込まれて、二つのＬＥＤ照明装置１が基台２００に組み込まれた状態が示されている。そして、各ＬＥＤ照明装置１、１の人Ｘから放射される赤外線を人感センサー６２が検知できる範囲が角度θとなっている。
【００３８】
図８に示す、室内の天井面Ｆに取り付けられた基台２００に組み込まれたＬＥＤ照明装置１の、一例としての室内での様子が図９に示されている。図９に示されている室内は、高さＨである床面Ｇから天井面Ｆまでが２．４ｍであり、室内では、天井面Ｆの中心に取り付けられた基台２００に組み込まれたＬＥＤ照明装置１、１が設けられている。本例においては、室内に何も置かれておらず、室内に人Ｘが入ればどの位置であろうと人Ｘから放射される赤外線を検知できるようにＬＥＤ照明装置１、１が設けられている。具体的には、ＬＥＤ照明装置１、１では床面Ｇ全面側のどの位置から赤外線が放射されてもＬＥＤ照明装置１、１内の人感センサー６２、６２が赤外線を検知できるように角度θが設定されている。従って、室内に人Ｘが入れば人Ｘから放射される赤外線を人感センサー６２が検知することになり、室内に人Ｘがいることが検知される。
【００３９】
なお、室内の大きさが変われば当然に角度θも変わってくることになる。つまり、本例においては、θを５０°とすることで、図９に示すように床面Ｇ全面のどの位置からの赤外線の放射があっても人感センサー６２が赤外線を検知することが可能になっているが、室内が大きくなったり、小さくなったりすればθも変わることになる。特に人感センサー６２では、室内に人が入ったか否かを判別するものであるため、図９に示すように、扉Ｋの前の位置でも赤外線が放射されれば人感センサー６２で検知することが可能になっている。また、図９に示す室内がどれくらいの大きさであるか分かり易くするため、室内に入る人Ｘの身長ｈを１、７ｍとしている。
【００４０】
つぎに、図９に示す室内に設けられたＬＥＤ照明装置１の作動について説明する。
【００４１】
図８に示すように、ソケット部２０２、２０２にＬＥＤ照明装置１の、図示しないエンドキャップのソケット端子が差し込まれ、ソケット部からソケット端子へ交流電流が流れ電源ユニット（ＡＣ−ＤＣコンバーター）５４に交流電流が送られる。送られた交流電流は電源ユニット（ＡＣ−ＤＣコンバーター）５４で直流電流に変換される。電源ユニット（ＡＣ−ＤＣコンバーター）５４にて交流電流から変換された直流電流を電源基板（電源回路）５５に送り、電源基板（電源回路）５５よりセンサー基板６を経てＬＥＤ基板５と導通可能な状態になる。そして、まず、人Ｘが、ＬＥＤ５３が点灯していない室内に入るために、図９に示すように、室内の扉Ｋのところに立ち室内へ入る（点線の人Ｘから実線の人Ｘへ移動する）。人Ｘが室内に入ることにより、人Ｘから放射される赤外線がセンサーカバー６１を通過して人感センサー６２で検知される。
【００４２】
人感センサー６２により赤外線が検知されると、図９に示すように、人Ｘが室内に入ったことが人感センサー６２により検知されたことになり、人感センサー６２から信号がセンサー基板（センサー回路）６内の発振器８０へ出力され、発振器８０が発振し、カウンター８３が作動する。それと同時に人感センサー６２からアンプ８１を介してリセット信号がカウンター８３、論理回路（１）８４（第一制御手段）、論理回路（２）８５（第二制御手段）に送られる。リセット信号Ｒｓｔがカウンター８３に送られることでカウント値は「０」に設定される（Ｓ９）。そして、論理回路（１）８４は「ＯＦＦ」となる（Ｓ１０）ことで、論理回路（１）８４からは制御信号がスイッチ８ａに出力され、スイッチ８ａは電流検出抵抗８９２を切り換えて（Ｓ１１）、ＬＥＤ５３の順方向の電流を増加させる（Ｓ１２）。つまり、論理回路（１）８４を「ＯＦＦ」にすることで電流検出抵抗Ｒａ（２０Ｗ）８９２が選択される。電流検出抵抗Ｒａ（２０Ｗ）８９２が選択されることで、基準電圧と電流検出抵抗Ｒａ（２０Ｗ）８９２に基づく信号がエラーアンプ８８へ入力される。そして、エラーアンプ８８からの出力が電気制御回路８７に入力される。また、このとき、論理回路（２）は［ＯＦＦ］になり（Ｓ１３）、電源ユニット（ＡＣ−ＤＣコンバーター）５４であるＬＥＤ電源によりＬＥＤ５３が点灯し、図９に示す室内を明るくする。
【００４３】
そして、人Ｘが、図９に示す室内から扉Ｋから出る（実線の人Ｘから点線の人Ｘへ移動する）。人Ｘが室内を出ることにより、センサーカバー６１を通過して人感センサー６２により検知された赤外線が検知されなくなる。つまり、人Ｘが人感センサー６２により検知されなくなり、人感センサー６２からカウンター８３への信号の入力が止まり、カウンター８３の時間を計測するカウント値の積算が開始される（Ｓ１）。そして、カウンター８３の積算したカウント値が第一の設定された時間である時間ｔ１に到達すると（Ｓ２）、カウンター８３よりクロック信号が論理回路（１）８４に送られることで論理回路（１）は「ＯＮ」となる（Ｓ６）。論理回路（１）８４は「ＯＮ」となる（Ｓ６）ことで、論理回路（１）８４からは制御信号がスイッチ８ａに出力され、スイッチ８ａは電流検出抵抗８９２を切り換えて（Ｓ７）、ＬＥＤ５３順方向の電流を減少させる（Ｓ８）。つまり、論理回路（１）８４を「ＯＮ」にすることでスイッチ８ａにより電流検出抵抗Ｒｂ（６Ｗ）８９１が選択される。電流検出抵抗Ｒｂ（６Ｗ）８９１が選択されることで、基準電圧と電流検出抵抗Ｒｂ（６Ｗ）８９１に基づく信号がエラーアンプ８８へ入力される。そして、エラーアンプ８８からの出力が電気制御回路８７に入力される。このとき、論理回路（２）は［ＯＦＦ］の状態が維持されており（Ｓ１３）、電源ユニット（ＡＣ−ＤＣコンバーター）５４であるＬＥＤ電源によりＬＥＤ５３は点灯しているが、電流検出抵抗Ｒｂに切り替わったため図９に示す室内を照らす明るさが変わり、薄明るい状態になる（明るさが抑えられた状態になる）。
【００４４】
さらに、カウンター８３へ人感センサー６２からの信号の入力がない状態が続き、カウンター８３においては時間を計測するカウント値の積算をさらに行い、カウンター８３の積算したカウント値が第一の設定された時間である時間ｔ１からさらに積算して第二の設定された時間である時間ｔ２に到達すると（Ｓ３）、カウンター８３よりクロック信号が論理回路（２）８５に送られることで論理回路（２）８５は「ＯＮ」となる（Ｓ４）。そして、論理回路（２）８５から制御信号がスイッチ８ａに出力されてスイッチ８ａはＯＦＦになり、電源ユニット（ＡＣ−ＤＣコンバーター）５４であるＬＥＤ電源とＬＥＤ５３と接続が断たれＬＥＤ５３は消灯する。
【００４５】
以上では、カウンター８３の時間を計測するカウント値の積算が開始され（Ｓ１）、カウンター８３の積算したカウント値が第一の設定された時間である時間ｔ１に到達する（Ｓ２）まで、及びカウンター８３の積算したカウント値が第一の設定された時間である時間ｔ１からさらに積算して第二の設定された時間である時間ｔ２に到達する（Ｓ３）まで、の間、人Ｘが、図９に示す室内に入らない場合についての人感センサー６２からの信号でのセンサー基板６によるＬＥＤ５３の点灯及び消灯の制御を示してある。ただし、カウンター８３の時間を計測するカウント値の積算が開始され（Ｓ１）、カウンター８３の積算したカウント値が第一の設定された時間である時間ｔ１に到達する（Ｓ２）までの間に人Ｘが、図９に示す室内に入る場合や、カウンター８３の積算したカウント値が第一の設定された時間である時間ｔ１からさらに積算して第二の設定された時間である時間ｔ２に到達する（Ｓ３）までの間に人Ｘが、図９に示す室内に入る場合がある。
【００４６】
カウンター８３の時間を計測するカウント値の積算が開始され（Ｓ１）、カウンター８３の積算したカウント値が第一の設定された時間である時間ｔ１に到達する（Ｓ２）までの間に人Ｘが、図９に示す室内に入る場合では、人感センサー６２により人Ｘが検知され、人感センサー６２から信号がセンサー基板（センサー回路）６内の発振器８０へ出力され、発振器８０が発振し、カウンター８３が作動する。それと同時に人感センサー６２からアンプ８１を介してリセット信号Ｒｓｔがカウンター８３、論理回路（１）８４（第一制御手段）、論理回路（２）８５（第二制御手段）に送られる。リセット信号Ｒｓｔがカウンター８３に送られることで、カウンター８３での、積算された時間を計測するカウント値はクリアーされてカウント値は「０」に設定される（Ｓ９）。そして、論理回路（１）８４は「ＯＦＦ」となり（Ｓ１０）、制御信号がスイッチ８ａに出力され、スイッチ８ａは電流検出抵抗８９２を切り換えて（電流検出抵抗Ｒａ（２０Ｗ）８９２が選択されて）（Ｓ１１）、基準電圧と電流検出抵抗Ｒａ（２０Ｗ）８９２に基づく信号がエラーアンプ８８へ入力され電気制御回路８７を経てＬＥＤ５３の順方向の電流を増加し、消費電力も増加して（Ｓ１２）、電源ユニット（ＡＣ−ＤＣコンバーター）５４であるＬＥＤ電源によりＬＥＤ５３が点灯し、図９に示す室内を明るくする。
【００４７】
また、カウンター８３の積算したカウント値が第一の設定された時間である時間ｔ１からさらに積算して第二の設定された時間である時間ｔ２に到達する（Ｓ３）までの間に人Ｘが、図９に示す室内に入る場合でも、人感センサー６２により人Ｘが検知され、人感センサー６２から信号が発振器８０へ出力され、発振器８０が発振することでカウンター８３が作動する。それと同時に人感センサー６２からのリセット信号Ｒｓｔがカウンター８３、論理回路（１）８４（第一制御手段）、論理回路（２）８５（第二制御手段）に送られ、カウンター８３では、積算された時間を計測するカウント値はクリアーされてカウント値は「０」に設定される（Ｓ９）。そして、論理回路（１）８４は「ＯＦＦ」となり（Ｓ１０）、制御信号により、スイッチ８ａは電流検出抵抗８９２を切り換えて（電流検出抵抗Ｒａ（２０Ｗ）８９２が選択されて）（Ｓ１１）、基準電圧と電流検出抵抗Ｒａ（２０Ｗ）８９２に基づく信号がエラーアンプ８８へ入力され電気制御回路８７を経てＬＥＤ５３の順方向の電流を増加し（消費電力も増加して）（Ｓ１２）、電源ユニット（ＡＣ−ＤＣコンバーター）５４であるＬＥＤ電源によりＬＥＤ５３が点灯し、図９に示す室内を明るくする。
【００４８】
人Ｘが、図９に示す室内から扉Ｋから出ることにより、センサーカバー６１を通過して人感センサー６２により検知された赤外線が検知されなくなる。このように人Ｘが人感センサー６２により検知されないと、人感センサー６２からカウンター８３への信号の入力が止まり、カウンター８３の時間を計測するカウント値の積算が開始される（Ｓ１）。そして、同様に、カウンター８３の積算したカウント値が第一の設定された時間である時間ｔ１の計測を行い（Ｓ２）、ＬＥＤ５３の順方向の電流を減少させるように電流検出抵抗Ｒｂ（６Ｗ）８９１が選択され（Ｓ６、Ｓ７）、図９に示す室内を照らす明るさが変わり、薄明るい状態になる（明るさが抑えられた状態になる）（Ｓ８）。さらに、カウンター８３へ人感センサー６２からの信号の入力がない状態が続き（人感センサー６２による人Ｘが検知されない状態が続き）、カウンター８３においては時間を計測するカウント値の積算をさらに行い、カウンター８３の積算したカウント値が第一の設定された時間である時間ｔ１からさらに積算して第二の設定された時間である時間ｔ２までの計測を行うと（Ｓ３）、同様に、ＬＥＤ５３は消灯することになる（Ｓ４、Ｓ５）。
【００４９】
（例２）
つぎに、ＬＥＤ照明装置１を変形した態様であるＬＥＤ照明装置９について説明する。ＬＥＤ照明装置９の基本的な構成についてはＬＥＤ照明装置１と同じであり、例１と異なる構成を中心にＬＥＤ照明装置９について説明する。
【００５０】
ＬＥＤ照明装置９は、図１０に示すように、ＬＥＤ照明装置１と同様に、半透明樹脂カバー９２とアルミシャーシ９３とが連結することで円筒状部材９９が形成されて、その円筒状部材９９内に基板部４であるＬＥＤ基板５及びセンサー基板６が収納されることになる。半透明樹脂カバー９２及びアルミシャーシ９３は、例１と同じ構成をなしている。つまり、半透明樹脂カバー９２及びアルミシャーシ９３は、ＬＥＤ照明装置１と同様に、直線状に伸び、直線状に伸びる方向を横断する断面方向では、断面円弧状の形状に形成されている。そして、半透明樹脂カバー９２とアルミシャーシ９３とを、例１と同じに係合させることで円筒状部材９９を形成している（図１０参照）。円筒状部材９９内の、アルミシャーシ９３のスライドレールとなる溝部９３５、９３５には基板部４が、例１と同様にして組み込まれ、円筒状部材９９内に基板部４を収納することになる（図１０参照）。
【００５１】
本例においても、例１と同様に、半透明樹脂カバー９２とアルミシャーシ９３との連結に際しては、半透明樹脂カバー９２とアルミシャーシ９３と重ね合わせることで半透明樹脂カバー９２の図示しない凸部とアルミシャーシ９３の図示しない凹部と組み合わせて半透明樹脂カバー９２とアルミシャーシ９３との連結することで円筒状部材９９を形成することになる。つまり、アルミシャーシ９３のスライドレールである溝部９３５、９３５に基板部４３を組み込んだ状態にし、半透明樹脂カバー９２の両端部側をアルミシャーシ９３の両端部側に当接させて、半透明樹脂カバー９２の両端部側の図示しない凸部をアルミシャーシ９３の両端部側の図示しない背壁部に乗り上げさせて、半透明樹脂カバー９２の両端部側の図示しない凸部でアルミシャーシ９３の両端部側の図示しない背壁部を挟み込み、半透明樹脂カバー９２の図示しない凸部をアルミシャーシ９３の図示しない背壁部上を摺動させて、半透明樹脂カバー９２の図示しない凸部をアルミシャーシ９３の図示しない凹部に組み入れて、半透明樹脂カバー９２とアルミシャーシ９３との連結を行うことになる（図４参照）。
【００５２】
基板部４は、図１０に示すように、例１と同様に、ＬＥＤ基板５及びセンサー基板６からなる。ただし、例２における、基板部４では、ＬＥＤ基板５、５同士にセンサー基板６が配置されており、人感センサー６２とＬＥＤアレイ部（照明部）５６とを遮断するために、例１と同様に、遮光板７が配置されている（ＬＥＤアレイ部（照明部）５６からの直接の照明が人感センサー６２側に入るのを遮るために、人感センサー６２とＬＥＤアレイ部（照明部）５６との間に遮光板７が配置されている）。遮光板７は人感センサー６２側とＬＥＤアレイ部（照明部）５６とを遮断する板状の部材であれば材質は特に限定されないが、本例においては合成樹脂製の板状の部材を用いている。本例においては、例１と異なり、図１０（ａ）に示すように、ＬＥＤアレイ部（照明部）５６、５６同士の間のセンサーカバー６１内に人感センサー６２が配置されているために、二箇所に遮光板７が配置されている。遮光板７は、例１と同様に、センサー基板６に当接し、センサー基板６に接着されて、センサー基板６に対して垂直に配置されている。そして、遮光板７の、センサー基板６に当接した端部と反対側の端部である半透明樹脂カバー９２に対向する端部は半透明樹脂カバー９２の内側の形状（円弧状の形状）に対応して円弧状の形状に形成されている。
【００５３】
ＬＥＤ基板５の一方の面４ａ側には、例１と同様に、図１０（ａ）に示すように、ＬＥＤ基板５の長手方向に沿って、複数のＬＥＤ５３が配置されることによりなるＬＥＤアレイ部（照明部）５６が形成されている。本例でも、例１と同様に、ＬＥＤ５３は３列に配置されているが、３列に限定されることなく、円筒状部材９９（ＬＥＤ照明装置９）の大きさにより、３列以上に配置したり、３列以下に配置したりすることも可能である。そして、図１０（ｂ）に示すように、本例では、センサー基板６を挟み込んでいる、一方のＬＥＤ基板（第一ＬＥＤ基板）５の他方の面５ｂ側には、電源基板５５が設けられており、他方のＬＥＤ基板（第二ＬＥＤ基板）５の他方の面５ｂ側には、電源基板５５が設けられていない。電源基板５５のＬＥＤ基板５への取り付け及び役割は、例１と同じである。ただし、本例においては、電源基板（電源回路）５５は、電源ユニット５４であるＡＣ−ＤＣコンバーターで交流電流から変換された直流電流を、電源基板（電源回路）５５が接合されたＬＥＤ基板（ＬＥＤ回路）（第一ＬＥＤ基板）５だけではなく、電源基板（電源回路）４４５が接合されていないＬＥＤ基板（ＬＥＤ回路）（第二ＬＥＤ基板）５にも印加し、ＬＥＤ５３の点灯を可能にすることになる。電源基板（電源回路）５５から電源基板（電源回路）５５が接合されていないＬＥＤ基板（ＬＥＤ回路）（第二ＬＥＤ基板）５への導通は、直接導線で連結することで行われているが、センサー基板６を介して導線で連結することも可能である。
【００５４】
ＬＥＤ基板５同士の間に配置されたセンサー基板６の一方の面６ａ側には、例１と同様にセンサーカバー６１が設けられている。センサーカバー６１は、例１と同様に、図５（ａ）に示すように、半球状の形状をなしており、その半球状の形状の中に人感センサー（赤外線センサー）６２を収納することで構成されている（図５（ａ）参照）。つまり、センサー基板６の一方の面６ａ上に、センサーカバー６１が固定して配置され、センサーカバー６１内の、センサー基板６の一方の面６ａ上には、人感センサー６２が設けられて、センサー基板６のセンサー回路と導通が図られている。そして、本例では、センサーカバー６１は、例１と同様に、半球状の形状をなしている。さらに、例１と同様に、半透明樹脂カバー２とアルミシャーシ３とを連結を行うと、図５（ｂ）に示すように、センサーカバー６１が対向する半透明樹脂カバー２には、センサーカバー６１が対向する位置に開口部２３が形成されており、センサーカバー６１の先端が開口部２３から突出することになる。このように、センサーカバー６１を半透明樹脂カバー２を介すことなく、突出させることで人Ｘから放射される赤外線が半透明樹脂カバー２によって遮断されることを防いで人感センサー（赤外線センサー）６２に到達することを可能にしている
【００５５】
円筒状部材９９の長手方向に沿う両端部側には、例１と同様に、図示しないエンドキャップが取り付けられており、そのエンドキャップには、ソケット部２０２、２０２に差し込む、電源基板５５との導通が図られた、図示しないソケット端子が設けられている。電源基板５５からは、電源基板５５のパターンに連結された、図示しないリード線が伸びて図示しないエンドキャップ内に組み込まれてソケット端子と導通が図られている。図示しないエンドキャップは、例１と同様であり、形状も例１と同様に、略円筒状の形状をなしており、基板部４が組み込まれた側と反対側には、図示しないソケット端子が間隔をあけて二本突出して設けられて、ソケット部２０２、２０２に組込可能になっている。
【００５６】
本例のＬＥＤ照明装置９を室内で用いた場合の、ＬＥＤ照明装置９の動作は例１に示すＬＥＤ照明装置１と同じである。つまり、ＬＥＤ照明装置９を図８に示す室内の天井面Ｆに取り付けられた基台２００のソケット部２０２、２０２に組み込むことで、図９に示す室内における、各ＬＥＤ照明装置９、９の人Ｘから放射される赤外線を人感センサー６２が検知できる範囲が角度θとなっている。そして、ソケット部からソケット端子へ交流電流が流れ電源ユニット（ＡＣ−ＤＣコンバーター）５４に交流電流が送られ、電源ユニット（ＡＣ−ＤＣコンバーター）５４で直流電流に変換されて電源基板（電源回路）５５に送り、電源基板（電源回路）５５よりセンサー基板６を経てＬＥＤ基板５と導通可能な状態になる。このような状態の図８に示す室内に人Ｘが室内に入ることにより、人Ｘから放射される赤外線がセンサーカバー６１を通過して人感センサー６２で検知される。
【００５７】
人感センサー６２で赤外線が検知されると、例１と同様に、図９に示すように、人Ｘ室内に入ったことが人感センサー６２により検知されたことになり、人感センサー６２から信号がセンサー基板（センサー回路）６内の発振器８０へ出力され、発振器８０が発振し、カウンター８３が作動する。それと同時に人感センサー６２からアンプ８１を介してリセット信号がカウンター８３、論理回路（１）８４（第一制御手段）、論理回路（２）８５（第二制御手段）に送られる。リセット信号Ｒｓｔがカウンター８３に送られることでカウント値は「０」に設定される（Ｓ９）。そして、論理回路（１）８４は「ＯＦＦ」となる（Ｓ１０）ことで、論理回路（１）８４からは制御信号がスイッチ８ａに出力され、スイッチ８ａは電流検出抵抗８９２を切り換えて（Ｓ１１）、ＬＥＤ５３順方向の電流を増加させる（Ｓ１２）。つまり、論理回路（１）８４を「ＯＦＦ」にすることで電流検出抵抗Ｒａ（２０Ｗ）８９２が選択される。電流検出抵抗Ｒａ（２０Ｗ）８９２が選択されることで、基準電圧と電流検出抵抗Ｒａ（２０Ｗ）８９２に基づく信号がエラーアンプ８８へ入力される。そして、エラーアンプ８８からの出力が電気制御回路８７に入力される。また、このとき、論理回路（２）は［ＯＦＦ］になり（Ｓ１３）、電源ユニット（ＡＣ−ＤＣコンバーター）５４であるＬＥＤ電源によりＬＥＤ５３が点灯し、図９に示す室内を明るくする。
【００５８】
そして、人Ｘが、例１と同様に、図９に示す室内から出ることにより、センサーカバー６１を通過して人感センサー６２により検知された赤外線が検知されなくなる。つまり、人Ｘが人感センサー６２により検知されないと、人感センサー６２からカウンター８３への信号の入力が止まり、カウンター８３の時間を計測するカウント値の積算が開始される（Ｓ１）。そして、カウンター８３の積算したカウント値が第一の設定された時間である時間ｔ１に到達すると（Ｓ２）、カウンター８３よりクロック信号が論理回路（１）８４に送られることで論理回路（１）は「ＯＮ」となる（Ｓ６）。論理回路（１）８４は「ＯＮ」となる（Ｓ６）ことで、論理回路（１）８４からは制御信号がスイッチ８ａに出力され、スイッチ８ａは電流検出抵抗８９２を切り換えて（Ｓ７）、ＬＥＤ５３順方向の電流を減少させる（Ｓ８）。つまり、論理回路（１）８４を「ＯＮ」にすることでスイッチ８ａにより電流検出抵抗Ｒｂ（６Ｗ）８９１が選択される。電流検出抵抗Ｒｂ（６Ｗ）８９１が選択されることで、基準電圧と電流検出抵抗Ｒｂ（６Ｗ）８９１に基づく信号がエラーアンプ８８へ入力される。そして、エラーアンプ８８からの出力が電気制御回路８７に入力される。このとき、論理回路（２）は［ＯＦＦ］の状態が維持されており（Ｓ１３）、電源ユニット（ＡＣ−ＤＣコンバーター）５４であるＬＥＤ電源によりＬＥＤ５３は点灯しているが、電流検出抵抗Ｒｂに切り替わったため図９に示す室内を照らす明るさが変わり、薄明るい状態になる（明るさが抑えられた状態になる）。
【００５９】
さらに、カウンター８３へ人感センサー６２からの信号の入力がない状態が続き、カウンター８３においては時間を計測するカウント値の積算をさらに行い、カウンター８３の積算したカウント値が第一の設定された時間である時間ｔ１からさらに積算して第二の設定された時間である時間ｔ２に到達すると（Ｓ３）、カウンター８３よりクロック信号が論理回路（２）８５に送られることで論理回路（２）８５は「ＯＮ」となる（Ｓ４）。そして、論理回路（２）８５から制御信号がスイッチ８ａに出力されてスイッチ８ａはＯＦＦになり、電源ユニット（ＡＣ−ＤＣコンバーター）５４であるＬＥＤ電源とＬＥＤ５３と接続が断たれＬＥＤ５３は消灯する。
【００６０】
例１と同様に、以上では、カウンター８３の時間を計測するカウント値の積算が開始され（Ｓ１）、カウンター８３の積算したカウント値が第一の設定された時間である時間ｔ１に到達する（Ｓ２）まで、及びカウンター８３の積算したカウント値が第一の設定された時間である時間ｔ１からさらに積算して第二の設定された時間である時間ｔ２に到達する（Ｓ３）まで、の間、人Ｘが、図９に示す室内に入らない場合についての人感センサー６２からの信号でのセンサー基板６によるＬＥＤ５３の点灯及び消灯の制御を示してある。例１と同様に例２においても、カウンター８３の時間を計測するカウント値の積算が開始され（Ｓ１）、カウンター８３の積算したカウント値が第一の設定された時間である時間ｔ１に到達する（Ｓ２）までの間に人Ｘが、図９に示す室内に入る場合や、カウンター８３の積算したカウント値が第一の設定された時間である時間ｔ１からさらに積算して第二の設定された時間である時間ｔ２に到達する（Ｓ３）までの間に人Ｘが、図９に示す室内に入る場合がある。
【００６１】
例１と同様に、カウンター８３の時間を計測するカウント値の積算が開始され（Ｓ１）、カウンター８３の積算したカウント値が第一の設定された時間である時間ｔ１に到達する（Ｓ２）までの間に人Ｘが、図９に示す室内に入る場合では、人感センサー６２により人Ｘが検知され、カウンター８３が作動する。それと同時にリセット信号Ｒｓｔがカウンター８３、論理回路（１）８４（第一制御手段）、論理回路（２）８５（第二制御手段）に送られ、カウンター８３では、積算された時間を計測するカウント値はクリアーされてカウント値は「０」に設定される（Ｓ９）。そして、論理回路（１）８４は「ＯＦＦ」となり（Ｓ１０）、電流検出抵抗８９２が切り換えられて（電流検出抵抗Ｒａ（２０Ｗ）８９２が選択されて）（Ｓ１１）、電源ユニット（ＡＣ−ＤＣコンバーター）５４であるＬＥＤ電源によりＬＥＤ５３が点灯し、図９に示す室内を明るくする。
【００６２】
また、カウンター８３の積算したカウント値が第一の設定された時間である時間ｔ１からさらに積算して第二の設定された時間である時間ｔ２に到達する（Ｓ３）までの間に人Ｘが、図９に示す室内に入る場合でも、例１と同様に、人感センサー６２により人Ｘが検知され、カウンター８３が作動する。それと同時にリセット信号Ｒｓｔがカウンター８３、論理回路（１）８４（第一制御手段）、論理回路（２）８５（第二制御手段）に送られ、カウンター８３では、積算された時間を計測するカウント値はクリアーされてカウント値は「０」に設定される（Ｓ９）。そして、論理回路（１）８４は「ＯＦＦ」となり（Ｓ１０）、電流検出抵抗８９２が切り換えられて（電流検出抵抗Ｒａ（２０Ｗ）８９２が選択されて）（Ｓ１１）、電源ユニット（ＡＣ−ＤＣコンバーター）５４であるＬＥＤ電源によりＬＥＤ５３が点灯し、図９に示す室内を明るくする。
【００６３】
さらに、人Ｘが、例１と同様に、図９に示す室内から扉Ｋから出ることにより、人感センサー６２により人Ｘが検知されないと、カウンター８３の時間を計測するカウント値の積算が開始される（Ｓ１）。カウンター８３により第一の設定された時間である時間ｔ１の計測を行い（Ｓ２）、ＬＥＤ５３の順方向の電流を減少させるように電流検出抵抗Ｒｂ（６Ｗ）８９１が選択され（Ｓ６、Ｓ７）、図９に示す室内を照らす明るさが変わる（Ｓ８）。そして、人感センサー６２による人Ｘが検知されない状態が続き、カウンター８３においては時間を計測するカウント値の積算をさらに行い、カウンター８３の積算したカウント値が第一の設定された時間である時間ｔ１からさらに積算して第二の設定された時間である時間ｔ２までの計測を行うと（Ｓ３）、ＬＥＤ５３は消灯することになる（Ｓ４、Ｓ５）。
【００６４】
なお、例１及び例２においては、半透明樹脂カバー２、９２及びアルミシャーシ３、９３は、連結されることで円筒状部材が形成されるためにそれぞれ断面半円弧状の形状で形成されているが、半透明樹脂カバー２、９２とアルミシャーシ３、９３とを連結することで円筒状部材を形成することができれば、半透明樹脂カバー２、９２とアルミシャーシ３、９３とがそれぞれ断面半円弧状の形状で形成されている必要はない。つまり、半透明樹脂カバー２、９２及びアルミシャーシ３、９３が断面円弧状の形状で形成されていれば、連結した際に断面方向が若干楕円形状をなしていても円筒状部材を形成することは可能である。それ故、半透明樹脂カバー２、９２及びアルミシャーシ３、９３は、それぞれ断面半円弧状の形状で形成されることに限定されることなく、それぞれ断面円弧状の形状で形成されていればよい。
【符号の説明】
【００６５】
１、９…ＬＥＤ照明装置、１１…円筒状部材
２、９２…半透明樹脂カバー、２１…端部、２２…凸部、２３、９２３…開口部
３、９３…アルミシャーシ、３１…端部、３２、３４…開口、３３…凹部、３５、９３５…溝部、３６…背壁部
４…基板部、４１…端部
５…ＬＥＤ基板、５ａ…一方の面、５ｂ…他方の面、５３…ＬＥＤ、５４…電源ユニット（ＡＣ−ＤＣコンバーター）、５５…電源基板（電源回路）、５６…ＬＥＤアレイ部（照明部）
６…センサー基板、６ａ…一方の面、６ｂ…他方の面、６１…センサーカバー、６２…人感センサー（赤外線センサー）
７…遮光板
８（８ａ、８ｂ）…スイッチ（ＳＷ）、８０…発振器、８１…アンプ、８２…発振器、８３…カウンター、８４…論理回路（１）（第一制御手段）、８５…論理回路（２）（第二制御手段）、８６…ＬＥＤ電源、８７…電流制御回路、８８…エラーアンプ、８９…電流検出抵抗、８９１…電流検出抵抗Ｒｂ、８９２…電流検出抵抗Ｒａ
２００…基台、２０１…傾斜面、２０２…ソケット部
Ｆ…天井面、Ｇ…床面、Ｋ…扉
【図１】
2012133966.tif 000003
【図２】
2012133966.tif 000004
【図３】
2012133966.tif 000005
【図４】
2012133966.tif 000006
【図５】
2012133966.tif 000007
【図６】
2012133966.tif 000008
【図７】
2012133966.tif 000009
【図８】
2012133966.tif 000010
【図９】
2012133966.tif 000011
【図１０】
2012133966.tif 000012
【図１１】
2012133966.tif 000013